(57)【特許請求の範囲】
【請求項１】
開口側に口筒部が設けられた外装容器と、該外装容器内に収容されるとともに前記口筒部に固定されるスパウトを有する内挿容器と、前記口筒部に外嵌して該内挿容器を密封するとともに、前記内挿容器の内容物を注ぎ出し可能、かつ、前記外装容器と内挿容器の間に空気を導入可能に構成されたキャップとを有するスパウト収納型容器であって、
前記スパウトの先端側には、該スパウトを貫通して前記外装容器と内挿容器との間に空気を導入可能な貫通孔が少なくとも１箇所設けられ、
前記キャップが、円形状又は環状の頂壁と該頂壁の周縁から垂下し、前記口筒部に外嵌する中空円筒状のスカート壁部からなるキャップ本体と、該頂壁の上部を覆い、該キャップ本体に開閉可能に連結された上蓋とを有し、
前記上蓋は、天面壁と該天面壁の周縁から垂下する側壁とからなり、
前記スカート壁部には、前記スパウトの開口部に離接する弁機構を有する中栓が内挿され、
該中栓が、前記スパウトの先端部に固定される中空円筒状の保持外枠と、内容物の一方向のみの流れを許容する中央弁体とを有し、
前記スパウトが、前記口筒部の先端に固定されるとともに、空気の一方向のみの流れを許容する空気弁体を有し、
前記保持外枠および前記スパウトが、前記口筒部の先端と前記キャップとに挟まれるように密着保持され、
前記中央弁体は、前記スパウトの開口部に向かって凸の半球状に形成されるとともに、前記保持外枠の内周の複数箇所と接続する弾性腕部によって保持されて前記スパウトの開口部に離隔可能に密接するよう構成され、
前記空気弁体は、前記スパウトの先端の前記貫通孔より外周位置に一体に形成され、上方に伸びて前記スカート壁部の内周に弾性的に離隔可能に密接するよう構成されていることを特徴とするスパウト収納型容器。
【請求項２】
前記頂壁の中央に、弱化部により切り取り可能に形成された切取部を有する口壁を有し、
該切取部の下方には、前記中央弁体を前記スパウトの開口部に向かって押圧する押圧凸部が形成されていることを特徴とする請求項１に記載のスパウト収納型容器。
【請求項３】
前記上蓋の天面壁の裏面には、前記中央弁体を前記スパウトの開口部に向かって押圧する押圧突起が設けられていることを特徴とする請求項１に記載のスパウト収納型容器。
【請求項４】
前記口筒部と前記スカート壁部が、それぞれに設けられた突起部で弾性嵌合されるように構成され、
前記スカート壁部の突起部には、上下方向に空気の流通が可能な切欠溝が設けられていることを特徴とする請求項１乃至請求項３のいずれかに記載のスパウト収納型容器。
【請求項５】
開口側に口筒部が設けられた外装容器と、該外装容器内に収容されるとともに前記口筒部に固定されるスパウトを有する内挿容器と、前記口筒部に外嵌して該内挿容器を密封するとともに、前記内挿容器の内容物を注ぎ出し可能、かつ、前記外装容器と内挿容器の間に空気を導入可能に構成されたキャップとを有するスパウト収納型容器であって、
前記スパウトの先端側には、該スパウトを貫通して前記外装容器と内挿容器との間に空気を導入可能な貫通孔が少なくとも１箇所設けられ、
前記キャップが、円形状又は環状の頂壁と該頂壁の周縁から垂下し、前記口筒部に外嵌する中空円筒状のスカート壁部からなるキャップ本体と、該頂壁の上部を覆い、該キャップ本体に開閉可能に連結された上蓋とを有し、
前記上蓋は、天面壁と該天面壁の周縁から垂下する側壁とからなり、
前記スカート壁部には、前記スパウトの開口部に離接する弁機構を有する中栓が内挿され、
該中栓が、前記スパウトの先端部に固定される中空円筒状の保持外枠と、内容物の一方向のみの流れを許容する中央弁体とを有し、
前記スパウトが、前記口筒部の先端に固定されるとともに、空気の一方向のみの流れを許容する空気弁体を有し、
前記口筒部と前記スカート壁部が、それぞれに設けられた突起部で弾性嵌合されるように構成され、
前記スカート壁部の突起部には、上下方向に空気の流通が可能な切欠溝が設けられていることを特徴とするスパウト収納型容器。
【発明の詳細な説明】
【技術分野】
【０００１】
本発明は、スパウトを有する内挿容器が外装容器内に収容されるスパウト収納型容器に関し、外装容器と内挿容器の間に空気を導入可能に構成されたキャップを有するスパウト収納型容器に関する。
【背景技術】
【０００２】
従来、外層と内層を剥離可能とし、容器内の減圧に対して内層のみが変形して外層と内層の間に空気が導入されて容器外観形状の変化を防止するとともに、内層の内容物が空気にさらされるのを防止する容器が知られている。
【０００３】
公知の容器は、例えば外層にスクイズした際には、外層と内層の間の空気が外部に排出されずに内層の内容物のみが排出され、スクイズを解除した際には、外層の原型への復帰力によって外層と内層の間の空気が導入され内層内には空気が進入しないように構成され、このために、外層と内層の間の空気に対する逆止弁機構と、内層の内容物に対する逆止弁機構とをキャップ内に設けたものが知られている（例えば、特許文献１等参照。）。
【０００４】
この公知の容器においては、容器本体の口筒部に嵌合される中栓と、該中栓とキャップの間に配される弁体とが別体になっており、中栓に設けられた内容物の吐出口と弁体とで内層の内容物に対する逆止弁機構が、キャップに設けられた吸入口と弁体とで外層と内層の間の空気に対する逆止弁機構がそれぞれ構成されている。
そして、スパウトの開口部先端を、この公知の容器の中栓と同様の構造とすることで、スパウトを有する内挿容器が外装容器内に収容されるスパウト収納型容器とし、外装容器と内挿容器の間に空気を導入可能なスパウト収納型容器とすることが考えられる。
【先行技術文献】
【特許文献】
【０００５】
【特許文献１】特許第３４９７７３６号公報（全頁、全図）
【発明の概要】
【発明が解決しようとする課題】
【０００６】
しかしながら、上記特許文献１に示すような公知の容器においては、中栓、弁体、キャップそれぞれの製造精度やそれらの位置関係により逆止弁機構のシール性能が大きく左右されるため、製造や組立にコストがかかるという問題があった。
また、それぞれの逆止弁機構は、キャップの締め込みによってそのシール性が担保されるため、経時的な締め付け力の低下にともないシール性能が劣化してしまうとういう問題があった。
また、弁体がキャップの開口部の直下に配されるため、キャップに大きな開口のバージンシールを設けても中栓の開口の大きさで開口部が制約されるという問題があった。
【０００７】
そこで本発明は、前述したような公知の容器の問題を解決するものであって、製造や組立が容易であり、シール性能を向上させ、経時的なシール性能の劣化がなく、キャップに大きな開口のバージンシールを設けることも可能としつつ、容器内の減圧に対して内挿容器のみが変形して外装容器と内挿容器の間に空気が導入されて容器外観形状の変化を防止するとともに、内挿容器の内容物が空気にさらされるのを防止するスパウト収納型容器を提供することを目的とする。
【課題を解決するための手段】
【０００８】
本請求項１に係る発明は、開口側に口筒部が設けられた外装容器と、該外装容器内に収容されるとともに前記口筒部に固定されるスパウトを有する内挿容器と、前記口筒部に外嵌して該内挿容器を密封するとともに、前記内挿容器の内容物を注ぎ出し可能、かつ、前記外装容器と内挿容器の間に空気を導入可能に構成されたキャップとを有するスパウト収納型容器であって、
前記スパウトの先端側には、該スパウトを貫通して前記外装容器と内挿容器との間に空気を導入可能な貫通孔が少なくとも１箇所設けられ、
前記キャップが、円形状又は環状の頂壁と該頂壁の周縁から垂下し、前記口筒部に外嵌する中空円筒状のスカート壁部からなるキャップ本体と、該頂壁の上部を覆い、該キャップ本体に開閉可能に連結された上蓋とを有し、前記上蓋は、天面壁と該天面壁の周縁から垂下する側壁とからなり、前記スカート壁部には、前記スパウトの開口部に離接する弁機構を有する中栓が内挿され、該中栓が、前記スパウトの先端部に固定される中空円筒状の保持外枠と、内容物の一方向のみの流れを許容する中央弁体とを有し、前記スパウトが、前記口筒部の先端に固定されるとともに、空気の一方向のみの流れを許容する空気弁体を有し、前記保持外枠および前記スパウトが、前記口筒部の先端と前記キャップとに挟まれるように密着保持され、前記中央弁体は、前記スパウトの開口部に向かって凸の半球状に形成されるとともに、前記保持外枠の内周の複数箇所と接続する弾性腕部によって保持されて前記スパウトの開口部に離隔可能に密接するよう構成され、前記空気弁体は、前記スパウトの先端の前記貫通孔より外周位置に一体に形成され、上方に伸びて前記スカート壁部の内周に弾性的に離隔可能に密接するよう構成されていることにより、前記課題を解決するものである。
【０００９】
本請求項２に係る発明は、請求項１に記載されたスパウト収納型容器の構成に加えて、前記頂壁の中央に、弱化部により切り取り可能に形成された切取部を有する口壁を有し、該切取部の下方には、前記中央弁体を前記スパウトの開口部に向かって押圧する押圧凸部が形成されていることにより、前記課題を解決するものである。
【００１０】
本請求項３に係る発明は、請求項１に記載されたスパウト収納型容器の構成に加えて、前記上蓋の天面壁の裏面には、前記中央弁体を前記スパウトの開口部に向かって押圧する押圧突起が設けられていることにより、前記課題を解決するものである。
【００１１】
本請求項４に係る発明は、請求項１乃至請求項３に記載されたスパウト収納型容器の構成に加えて、前記口筒部と前記スカート壁部が、それぞれに設けられた突起部で弾性嵌合されるように構成され、前記スカート壁部の突起部には、上下方向に空気の流通が可能な切欠溝が設けられていることにより、前記課題を解決するものである。
【００１２】
本請求項５に係る発明は、開口側に口筒部が設けられた外装容器と、該外装容器内に収容されるとともに前記口筒部に固定されるスパウトを有する内挿容器と、前記口筒部に外嵌して該内挿容器を密封するとともに、前記内挿容器の内容物を注ぎ出し可能、かつ、前記外装容器と内挿容器の間に空気を導入可能に構成されたキャップとを有するスパウト収納型容器であって、前記スパウトの先端側には、該スパウトを貫通して前記外装容器と内挿容器との間に空気を導入可能な貫通孔が少なくとも１箇所設けられ、前記キャップが、円形状又は環状の頂壁と該頂壁の周縁から垂下し、前記口筒部に外嵌する中空円筒状のスカート壁部からなるキャップ本体と、該頂壁の上部を覆い、該キャップ本体に開閉可能に連結された上蓋とを有し、前記上蓋は、天面壁と該天面壁の周縁から垂下する側壁とからなり、前記スカート壁部には、前記スパウトの開口部に離接する弁機構を有する中栓が内挿され、該中栓が、前記スパウトの先端部に固定される中空円筒状の保持外枠と、内容物の一方向のみの流れを許容する中央弁体とを有し、前記スパウトが、前記口筒部の先端に固定されるとともに、空気の一方向のみの流れを許容する空気弁体を有し、前記口筒部と前記スカート壁部が、それぞれに設けられた突起部で弾性嵌合されるように構成され、前記スカート壁部の突起部には、上下方向に空気の流通が可能な切欠溝が設けられていることにより、前記課題を解決するものである。
【発明の効果】
【００１３】
本請求項１に係る発明のスパウト収納型容器は、中栓がスパウトの先端部に固定される中空円筒状の保持外枠と、内容物の一方向のみの流れを許容する中央弁体とを有し、スパウトが、口筒部の先端に固定され空気の一方向のみの流れを許容する空気弁体を有し、該中栓を保持したスパウトがスカート壁部に内挿されることによって、キャップの嵌合によって中栓の保持外枠が固定されるだけでよく、キャップの嵌合力によって弁体を押し付けてシール性を確保する構成とする必要がないため、キャップの嵌合機構が簡便なものでもよく、組立作業や位置決め作業が容易となる。また、キャップの嵌合力の経時的な低下にともなうシール性能の劣化を防止することができる。
【００１４】
また、前記中央弁体は、前記スパウトの開口部に向かって凸の半球状に形成されるとともに、前記保持外枠の内周の複数箇所と接続する弾性腕部によって保持されて前記スパウトの開口部に離隔可能に密接するよう構成されているため、保持外枠をスカート壁部に近い位置で保持することで中空弁体をスパウトの開口部の上方に位置させ、開口部全体が開閉する弁機構とすることができ、シール性を損なうことなく内容物の注ぎ出すための開口を大きくすることができる。また、このことで、スカート壁部の上部に大きな開口を設けることが可能となるため、キャップのスカート壁部の上部に大きな開口のバージンシールを設けることが可能となら、更に、中央弁体が弾性力によってスパウトの開口部を上方から確実に横圧して閉塞することができ、シール性を向上することができるとともに、内容物を押し出す際にも、中央弁体が弾性力に抗して上方に円滑に移動するため、逆止弁としての動作を確実に円滑に行うことができる。
【００１５】
さらに、空気弁体は、前記スパウトの先端の前記貫通孔より外周位置に一体に形成され、スパウトの先端の上方に伸びてスカート壁部の内周に弾性的に離隔可能に密接するよう構成されているため、形状や位置の精度が低くても、スカート壁部の内周に弾性的に嵌合することで芯合わせされシール性能が確保される。さらに、空気弁体は、キャップの嵌合方向の位置が多少ずれてもシールが可能であるため、キャップの嵌合力の経時的な低下にともなうシール性能の劣化を防止することができる。さらに、中央弁体から注ぎ出される内容物の経路と、空気弁体から導入される空気の経路を分離することができるため、外装容器と内挿容器の間の空間に内容物が入ることがない。さらに、一体に形成されていることにより、射出成形等の樹脂成形技術によってそれぞれを１部品として製造することが可能であり、形状や寸法の精度を容易に確保できるため、製造や組立が容易となる。
【００１６】
本請求項２に記載の構成によれば、スカート壁部の頂部に形成された頂壁の中央に、弱化部により切り取り可能に形成された切取部（バージンシール）を有する口壁が設けられ、切取部（バージンシール）の下方に中央弁体をスパウトの開口部に向かって押圧する押圧凸部が形成されていることにより、内容物が充填された使用前の状態で圧力によって中央弁体が開くことを防止でき、輸送時や保管時に外部から圧力がかかったり、温度変化等によって内圧が上昇したりしても、逆止弁が作動せず内容物が中央弁体の上部に漏洩することを防止できる。
【００１７】
本請求項３に記載の構成によれば、スカート壁部の頂部に形成された頂壁の開口部を開閉可能に覆う上蓋の天面壁の裏面に、中央弁体をスパウトの開口部に向かって押圧する押圧突起が設けられていることにより、使用時以外の上蓋を閉じている状態では、外部から圧力がかかったり、温度変化等によって内圧が上昇したりしても、逆止弁が作動せず内容物が中央弁体の上部に漏洩することを防止できる。
本請求項４に記載の構成によれば、口筒部とスカート壁部が、それぞれに設けられた突起部で弾性嵌合されるように構成され、スカート壁部の突起部には、上下方向に空気の流通が可能な切欠溝が設けられていることにより、外装容器と内挿容器の間に導入される空気の流通を妨げることなく、キャップと容器本体を強固に締め付け固定できる。
【００１８】
本請求項５に係る発明のスパウト収納型容器は、中栓がスパウトの先端部に固定される中空円筒状の保持外枠と、内容物の一方向のみの流れを許容する中央弁体とを有し、スパウトが、口筒部の先端に固定され空気の一方向のみの流れを許容する空気弁体を有し、該中栓を保持したスパウトがスカート壁部に内挿されることによって、キャップの嵌合によって中栓の保持外枠が固定されるだけでよく、キャップの嵌合力によって弁体を押し付けてシール性を確保する構成とする必要がないため、キャップの嵌合機構が簡便なものでもよく、組立作業や位置決め作業が容易となる。また、キャップの嵌合力の経時的な低下にともなうシール性能の劣化を防止することができる。
また、口筒部とスカート壁部が、それぞれに設けられた突起部で弾性嵌合されるように構成され、スカート壁部の突起部には、上下方向に空気の流通が可能な切欠溝が設けられていることにより、外装容器と内挿容器の間に導入される空気の流通を妨げることなく、キャップと容器本体を強固に締め付け固定できる。
【図面の簡単な説明】
【００１９】
【図１】本発明の第１実施例であるスパウト収納型容器の口筒部近傍の断面図。
【図２】本発明の第１実施例であるスパウト収納型容器のキャップの断面図。
【図３】本発明の第１実施例であるスパウト収納型容器の中栓の平面図。
【図４】本発明の第１実施例であるスパウト収納型容器の中栓の半断面図。
【図５】本発明の第１実施例であるスパウト収納型容器のスパウトの半断面図。
【図６】本発明の第１実施例であるスパウト収納型容器の内容物注ぎ出し時の説明図。
【図７】本発明の第１実施例であるスパウト収納型容器の空気導入時の説明図。
【図８】本発明の第２実施例であるスパウト収納型容器の口筒部近傍の断面図。
【図９】本発明の第２実施例であるスパウト収納型容器のキャップの断面図。
【図１０】図８の上蓋開放時の断面図。
【発明を実施するための形態】
【実施例１】
【００２０】
以下に、本発明の第１実施例であるスパウト収納型容器１００の構成および動作について、図面に基づいて説明する。
図１は、本発明の第１実施例であるスパウト収納型容器１００の内容物が充填された使用前の状態を示し、容器本体１１０、キャップ１３０および中栓１５０を有している。
容器本体１１０は、外装容器１１２と、該外装容器１１２内に収容される内挿容器１１１とからなる。外装容器１１２の開口側に口筒部１２０が設けられ、内挿容器１１１にスパウト１６０が設けられ、口筒部１２０内にスパウト１６０が固定される。
【００２１】
キャップ１３０は、キャップ本体１３１と上蓋１３３とからなり、キャップ本体１３１は、円形状の頂壁１４４と頂壁１４４の周縁から垂下し、口筒部１２０に外嵌する中空円筒状のスカート壁部１４０とからなり、上蓋１３３は、頂壁１４４の上部を覆い、キャップ本体１３１のスカート壁部１４０の上端にヒンジ部１４７により連結された側壁１４９と側壁１４９の上端を覆う天面壁１３２とからなる。
口筒部１２０に外嵌して容器本体１１０を密封するとともに、中栓１５０およびスパウト１６０の先端フランジ部１６１を内挿し、内挿容器１１１内の内容物を注ぎ出し可能、かつ、内挿容器１１１と外装容器１１２の間に空気を導入可能に構成されている。
外装容器１１２は、図１においては口筒部１２０近傍のみを図示したが、図示より下方では、スクイズ動作が可能なよう、すなわち押圧に対して変形し、押圧力を解除すると弾性により元の形状に復帰可能なように、材料、形状および厚み等が適宜選択される。
図１に図示された外装容器１１２の口筒部１２０近傍では、外装容器１１２は、キャップ１３０を固定し後述する逆止弁機構を円滑に機能させるために、形状が変化しないように、材料、形状および厚み等が適宜選択される。
【００２２】
内挿容器１１１は、スパウト１６０と密着固定されて外装容器１１２の内部空間に収容され、自由に変形可能で内容物の減少にともなって外装容器１１２との間の空間の容積が自由に変化可能なパウチ等であり、材料、形状および厚み等が適宜選択される。
なお、外装容器１１２および内挿容器１１１は、それぞれ、単一の材料で一体的に形成されても良く、複数の材料で多層に形成されても良いし、または、複数の部分に分割され適宜の手段で密着固定されて容器としての機能を持つように構成されても良い。
外装容器１１２の口筒部１２０には、先端近傍の外周にキャップ１３０がスナップ嵌合する突起部である係止部１２２が設けられている。
【００２３】
キャップ１３０は、図２に示すように、口筒部１２０に外嵌する中空円筒状のスカート壁部１４０を有するキャップ本体１３１と、スカート壁部１４０の上部を開閉可能な上蓋１３３とを有している。スカート壁部１４０の下端側には、口筒部１２０の突起部である係止部１２２とスナップ嵌合する突起部１４３が設けられている。突起部１４３はスカート壁部１４０の内周を一周するように設けられ、少なくともひとつの切欠溝部１４５が設けられており、キャップ１３０が嵌合した際に外部の空気が自由に通過可能な空間を形成している。
【００２４】
キャップ本体１３１は、スカート壁部１４０の頂部に形成された頂壁１４４を有し、ヒンジ１４７で接続された上蓋１３３により、頂壁１４４の開口部を開閉可能に覆われる。スカート壁部１４０の頂壁１４４側の内周面には、空気弁体１６２が弾性的に当接して逆止弁機構を構成する空気弁座１４６が設けられている。頂壁１４４の中央には、弱化部１３５により切り取り可能に形成された切取部１３４を有する口壁が設けられ、未使用時の気密性を確保するバージンシールを構成している。口壁の切取部１３４より外側の下方には、中栓１５０を保持する上部保持凸部１４１が設けられている。切取部１３４の下方には、後述する中央弁体１５２をスパウト１６０の開口部１６５に向かって押圧する押圧凸部１３９が形成されている。本実施例では、切取部１３４の中央を厚みが一定で下方に膨出する形状として押圧凸部１３９を形成しているが、中央の厚みを大きくするようにして押圧凸部１３９を形成しても良い。
【００２５】
切取部１３４の上方には支柱を介してプルリング１３８が形成されており、使用開始時にプルリング１３８を上方に引き上げることで切取部１３４が弱化部１３５で口壁から破断して切取部１３４が切り取られ、口壁の中央に切取部１３４の形状の開口が形成される。頂壁１４４の上部の弱化部１３５が形成された口壁の外周側には、上方に向かって内容物を円滑に注ぎ出すための注出筒部１３６が形成されている。
【００２６】
上蓋１３３は、側壁１４９の下端がスカート壁部１４０の上端とヒンジ部１４７により開閉可能に連結されており、頂壁１４４の上端の注出筒部１３６の外周側に設けられた上蓋係止部１４８にスナップ嵌合することで閉状態を維持可能に構成されている。
上蓋１３３の下面側には、閉状態の時に注出筒部１３６の内周側と密着する封止壁部１３７が設けられており、上蓋１３３が閉状態の時の密封性を向上している。なお、ヒンジ部１４７による結合を省略して、上蓋１３３を独立した部材としても良く、その場合、上蓋係止部１４８と上蓋１３３とを、周方向のスナップ嵌合、ネジ嵌合等の他の嵌合手段を用いても良い。
【００２７】
中栓１５０は、図３、図４に示すように、中空円筒状の保持外枠１５１と、保持外枠１５１の内側に間隔を開けて保持されてスパウト１６０の開口部１６５に離隔可能に密接して内容物の排出方向のみの流れを許容するよう構成された中央弁体１５２を有している。
中央弁体１５２は、スパウト１６０の開口部１６５に向かって凸の半球状に形成されるとともに保持外枠１５１の内周の複数箇所と接続する弾性腕部１５５によって一体的に形成されている。また、中央弁体１５２の上方には、前述した切取部１３４の押圧凸部１３９によって図１に示すように口筒部１２０の開口部に向かって押圧される被押圧部１５６が形成されている。
【００２８】
弾性腕部１５５は、両端が保持外枠１５１と中央弁体１５２の周方向の異なる位置で接続され中央部が周方向に伸びるように構成され、この弾性腕部１５５を周方向に複数（本実施例では４個）設けている。この構造で、中央弁体１５２が軸方向にのみ弾性的に移動可能とされ、スパウト１６０の開口部１６５に密着することで逆止弁として動作する。なお、弾性腕部１５５の数、周方向長さ、断面積等は、必要とする弾性力に応じて適宜設計して良く、逆止弁として動作する構造であれば、本実施例のような弾性腕部１５５によらない構造で保持外枠１５１の内周部に支持しても良い。
【００２９】
スパウト１６０は、図５に示すように、下方に設けられた固定部１６６と、上方に設けられた先端フランジ部１６１とを有している。先端フランジ部１６１は、その外径が外装容器１１２の口筒部１２０開口より大径に形成され、固定部１６６は、内挿容器１１１に密着固定されて内容物を上方の開口からのみ注ぎ出し可能に構成されている。該先端フランジ部１６１の上部外周側には、外装容器１１２と内挿容器１１１との間に導入される空気の一方向のみの流れを許容するための逆止弁機構を構成する空気弁体１６２が設けられている。
【００３０】
先端フランジ部１６１の上部内周側には、中栓１５０をキャップ１３０との間に挟んで固定する固定壁部１６４が設けられている。先端フランジ部１６１の空気弁体１６２と固定壁部１６４との間には、上下方向に貫通する貫通孔１６３が設けられている。また、固定壁部１６４より内周側の開口部１６５が、内挿容器１１１内の内容物の一方向のみの流れを許容するための逆止弁機構を構成し、本実施例では該開口部１６５はテーパ状に形成されている。
なお、先端フランジ部１６１の貫通孔１６３は、一箇所のみ図示されているが、円周方向のどのような位置にいくつ設けるかは、必要に応じて適宜選択して良い。
【００３１】
スパウト１６０の先端フランジ部１６１の空気弁体１６２は、弾性変形により弁として作用するように一体に形成されて、キャップ１３０の空気弁座１４６に押し付けられることで逆止弁として動作する。このことで、各構成部材の形状や位置の精度が低くても、スパウト１６０の空気弁体１６２がキャップ１３０の空気弁座１４６の内周面に弾性的に嵌合することで両者が芯合わせされシール性能が確保される。また、空気弁体１６２は、キャップ１３０の上下方向の位置が多少ずれてもシールが可能であるため、外力や振動にともなう経時的なシール性能の劣化を防止することができる。
【００３２】
中栓１５０の保持外枠１５１は、スパウト１６０の先端フランジ部１６１の固定壁部１６４の内周面に密着嵌合するとともに、保持外枠１５１の上方外周側には、先端フランジ部１６１の固定壁部１６４と前述したキャップ１３０の上部保持凸部１４１に挟まれる係合顎部１５４が設けられている。この構成により、外装容器１１２の口筒部１２０にキャップ１３０を嵌合することで、スパウト１６０と中栓１５０がキャップ１３０内に内装固定される。このことで、スパウト１６０と中栓１５０をキャップ１３０のスカート壁部１４０の内部に保持させるための組立作業が容易となる。
【００３３】
以上のように構成された本発明の第１実施例であるスパウト収納型容器１００の作用および動作について、図１、図６、図７に基づいて説明する。
まず、外装容器１１２内に内挿容器１１１収容され、内挿容器１１１内に内容物が充填された状態で、中栓１５０がスパウト１６０の先端フランジ部１６１の固定壁部１６４の内周面に密着嵌合され、図１に示すように、切取部１３４が切り取られていない状態のキャップ１３０が口筒部１２０に嵌合され、口筒部１２０の上端と、キャップ１３０の上部保持凸部１４１の間に、スパウト１６０の先端フランジ部１６１と中栓１６０の係合顎部１５４が挟まれて固定される。この時、スパウト１６０の開口部１６５が中栓１５０の中央弁体１５２をわずかに上方に押し上げるように設計することで、中央弁体１５２が常に弾性腕部１５５の弾性によりスパウト１６０の開口部１６５に押し付けられ、逆止弁として確実に作用することが可能となる。
【００３４】
また、切取部１３４の下方に設けられた押圧凸部１３９が、中央弁体１５２の被押圧部１５６を押圧するように形成されているため、未使用時に圧力によって中央弁体１５２が開くことを防止でき、輸送時や保管時に外部から圧力がかかったり、温度変化等によって内圧が上昇したりしても、逆止弁が作動せず内容物が中央弁体１５２の上部に漏洩することを防止できる。また、当該押し上げにより、中栓１５０の係合顎部１５４が、キャップ１３０に設けられた上部保持凸部１４１に押し付けられる。このことで、保持外枠１５１の上端部から上方への空気の流れが阻止される。
【００３５】
切取部１３４が切り取られた開口から内容物を注ぎ出す際は、図６に示すように、上蓋１３３が開放された状態で、例えば外装容器１１２を強く握る等の動作で、外部から変形させて内部に圧力を加える。この時、外装容器１１２と内挿容器１１１の間に存在する空気が加圧され、スパウト１６０の貫通孔１６３を通じて、スパウト１６０の先端フランジ部１６１、キャップ１３０および中栓１５０の係合顎部１５４で囲まれた空間の空気も加圧される。
【００３６】
この際、スパウト１６０の先端フランジ部１６１と中栓１５０の係合顎部１５４および中栓１５０の係合顎部１５４とキャップ１３０の上部保持凸部１４１はそれぞれ密封されており、スパウト１６０の先端フランジ部１６１とキャップ１３０は、先端フランジ部１６１上部外周側に設けられた空気弁体１６２がキャップ１３０の空気弁座１４６に押し付けられて逆止弁として働いて密封されている。
このため、上記加圧された空気は流出することなく、その圧力は内挿容器１１１内の内容物を押し出す力としてのみ作用する。圧力を受けた内挿容器１１１内の内容物は、黒矢印で図示するように、開口部１６５を閉塞している中栓１５０の中央弁体１５２を弾性腕部１５５の弾性に抗して押し上げて外部に注ぎ出される。
【００３７】
注ぎ出しを停止する際は、外装容器１１２の外部からの変形を解除する。この時、外装容器１１２は弾性により元の形状に復帰しようとするため、外装容器１１２と内挿容器１１１の間に存在する空気が負圧となり、貫通孔１６３を通じて、外装容器１１２の口筒部１２０、スパウト１６０の先端フランジ部１６１、キャップ１３０および中栓１５０の係合顎部１５４で囲まれた空間の空気も負圧となる。
【００３８】
この際、図７に示すように、白矢印で図示するように、スパウト１６０の先端フランジ部１６１とキャップ１３０を密封していた先端フランジ部１６１上部外周側に設けられた空気弁体１６２が、負圧によりキャップ１３０の空気弁座１４６から離れ、スカート壁部１４０内に設けられた切欠溝１４５を通過した空気が導入され、貫通孔１６３を通過して外装容器１１２と内挿容器１１の間の空間に空気が流入する。また、内挿容器１１１の内容物も負圧となるが、当該負圧によって中栓１５０の中央弁体１５２が弾性腕部１５５の弾性に抗して押し上げる力が解除され、中央弁体１５２が開口部１６５を閉塞して逆止弁として働くため、内挿容器１１１内に空気が流入することはない。
なお、図７では、説明のため空気弁体１６２が空気弁座１４６から大きく離れるように図示しているが、負圧により空気が通過すればよく、わずかな隙間が生じる変形であっても良い。
【実施例２】
【００３９】
次に、本発明の第２実施例であるスパウト収納型容器２００の構成および動作について、図面に基づいて説明する。
本発明の第２実施例であるスパウト収納型容器２００は、図８、図１０に示すように、容器本体２１０、キャップ２３０および中栓２５０を有している。
なお、以下の説明は第２実施例であるスパウト収納型容器２００特有の部分のみとする（同様の構成、動作および作用の部分は、第１実施例であるスパウト収納型容器１００の説明の符号に１００を加えて読み替える。）。
【００４０】
キャップ２３０は、図９に示すように、口筒部２２０に外嵌する中空円筒状のスカート壁部２４０とスカート壁部２４０の上端から内方に延びる環状の頂壁２４４からなるキャップ本体２３１とスカート壁部２４０の上端に開閉可能に連結された上蓋２３３とから構成されている。
上蓋２３３は、天面壁２３２と天面壁２３２の周縁から垂下する側壁２４９とからなり、側壁２４９の下端とスカート壁部２４０の上端とがヒンジ部２４７により連結されている。
キャップ本体２３１の頂壁２４４の内側端には内容物の取り出し用の開口が形成されている。
スカート壁部２４０の頂壁２４４側の内周面には、空気弁体２６２が弾性的に当接して逆止弁機構を構成する空気弁座２４６が設けられている。頂壁２４４の中央には、内容物を注ぎ出す開口が形成され、開口の外周側には、上方に向かって内容物を円滑に注ぎ出すための注出筒部２３６が形成されている。
【００４１】
頂壁２４４の上面から上方に延びる注出筒部２３６の内周面は、上蓋２３３の天面壁２３２の内面から垂下する封止壁部２３７の外周面に密接され、密封されている。さらに、上蓋２３３の下面の中央には、中央弁体２５２を口筒部２２０に向かって押圧する押圧突起２３９が形成されている。
【００４２】
以上のように構成された本発明の第２実施例であるスパウト収納型容器２００の特有の作用および動作についてのみ説明する。
【００４３】
第２実施例であるスパウト収納型容器２００は、上蓋２３３の下面の中央に設けられた押圧突起２３９が、中央弁体２５２の被押圧部２５６を押圧するように形成されているため、未使用時、使用開始後にかかわらず上蓋２３３を閉塞した状態とすることで、圧力によって中央弁体２５２が開くことを防止できる。
したがって、使用開始後であっても輸送時や保管時に外部から圧力がかかったり、温度変化等によって内圧が上昇したりしても、逆止弁が作動せず内容物が中央弁体２５２の上部に漏洩することを防止できる。
【産業上の利用可能性】
【００４４】
本発明のスパウト収納型容器は、製造や組立が容易であり、シール性能を向上させ、経時的なシール性能の劣化がなく、キャップに大きな開口のバージンシールを設けることも可能としつつ、容器内の減圧に対して内挿容器のみが変形して外装容器と内挿容器の間に空気が導入されて容器外観形状の変化を防止するとともに、内挿容器の内容物が空気にさらされるのを防止することができるため、化学薬品、医薬品、食料品等のガス遮断性が必要な内容物を、適量の注ぎ出しと保管を繰り返す用途に使用する容器として好適に利用できる。
【符号の説明】
【００４５】
１００、２００  ・・・スパウト収納型容器
１１０、２１０  ・・・容器本体
１１１、２１１  ・・・内挿容器
１１２、２１２  ・・・外装容器
１２０、２２０  ・・・口筒部
１２２、２２２  ・・・係止部
１３０、２３０  ・・・キャップ
１３１、２３１  ・・・キャップ本体
１３２、２３２  ・・・天面壁
１３３、２３３  ・・・上蓋
１３４          ・・・切取部
１３５          ・・・弱化部
１３６、２３６  ・・・注出筒部
１３７、２３７  ・・・封止壁部
１３８          ・・・プルリング
１３９          ・・・押圧凸部
２３９  ・・・押圧突起
１４０、２４０  ・・・スカート壁部
１４１、２４１  ・・・上部保持凸部
１４３、２４３  ・・・突起部
１４４、２４４  ・・・頂壁
１４５、２４５  ・・・切欠溝
１４６、２４６  ・・・空気弁座
１４７、２４７  ・・・ヒンジ部
１４８、２４８  ・・・上蓋係止部
１４９、２４９  ・・・側壁
１５０、２５０  ・・・中栓
１５１、２５１  ・・・保持外枠
１５２、２５２  ・・・中央弁体
１５４、２５４  ・・・係合顎部
１５５、２５５  ・・・弾性腕部
１５６、２５６  ・・・被押圧部
１５７、２５７  ・・・嵌合部
１６０、２８０  ・・・スパウト
１６１、２６１  ・・・先端フランジ部
１６２、２６２  ・・・空気弁体
１６３、２６３  ・・・貫通孔
１６４、２６４  ・・・固定壁部
１６５、２６５  ・・・開口部
【図１】
0005757560.tif 000002
【図２】
0005757560.tif 000003
【図３】
0005757560.tif 000004
【図４】
0005757560.tif 000005
【図５】
0005757560.tif 000006
【図６】
0005757560.tif 000007
【図７】
0005757560.tif 000008
【図８】
0005757560.tif 000009
【図９】
0005757560.tif 000010
【図１０】
0005757560.tif 000011